(57)【要約】      （修正有）【課題】駆動ユニットがフレームから外れにくい製氷機を提供する。【解決手段】製氷機において、製氷皿を回転させる駆動ユニット３は、フレーム４に設けられた搭載部４０に取り付けられる。駆動ユニット３は、搭載部４０の上板部４５の縁から下側へ突出する壁部４７に当接し、上板部４５に形成された第１フック５１と底板部４６に形成された第２フックによって係止されて保持される。駆動ユニット３を搭載部４０に取り付ける際には、第１フック５１および第２フックを撓ませて駆動ユニット３に係止する。第１フック５１を結束バンド６０によってフレーム４に連結することにより、駆動ユニット３の移動を規制する規制位置５１Ａに第１フック５１を保持する。【選択図】図７
2019113230.tif 000002
【特許請求の範囲】
【請求項１】
貯水用凹部が上向きに配置された製氷皿と、
上下方向と交差する軸線周りの反転動作、および前記反転動作に連動した捻り動作を前記製氷皿に行わせる駆動ユニットと、
前記駆動ユニットを保持するフレームと、
前記フレームに取り付けられる係止部材と、を有し、
前記フレームは、前記軸線方向で対向する規制部および第１フックを備え、
前記駆動ユニットは、前記規制部と前記第１フックの間に配置され、
前記係止部材は、前記規制部とは反対側への前記駆動ユニットの移動を規制する規制位置に前記第１フックを保持することを特徴とする製氷機。
【請求項２】
前記第１フックは、腕部と、前記腕部の先端側に設けられた係止部を備え、
前記規制位置は、前記駆動ユニットが位置する側へ前記腕部を撓ませた位置であることを特徴とする請求項１に記載の製氷機。
【請求項３】
前記フレームは、前記係止部材が取り付けられるフレーム側取付部を備え、
前記第１フックは、前記フレーム側取付部よりも前記駆動ユニットが位置する側とは反対側へ突出した突出部を備え、
前記係止部材は、前記突出部に対して前記駆動ユニットが位置する側とは反対側から重なるように取り付けられることを特徴とする請求項２に記載の製氷機。
【請求項４】
前記第１フックは、前記係止部材が取り付けられるフック側取付部を備え、
前記フック側取付部は、前記突出部に対して前記フレーム側取付部とは反対側に位置することを特徴とする請求項３に記載の製氷機。
【請求項５】
前記フック側取付部と前記フレーム側取付部の一方または両方は、前記係止部材を通す孔であることを特徴とする請求項４に記載の製氷機。
【請求項６】
前記係止部材は結束バンドであることを特徴とする請求項１から５の何れか一項に記載の製氷機。
【請求項７】
前記駆動ユニットに対して前記軸線方向で前記第１フックと同じ側に配置される第２フックを備え、
前記第１フックと前記第２フックは、前記駆動ユニットにおける反対側の端部を係止することを特徴とする請求項１から６の何れか一項に記載の製氷機。
【発明の詳細な説明】
【技術分野】
【０００１】
本発明は、製氷皿を駆動する駆動ユニットがフレームに搭載された製氷機に関する。
【背景技術】
【０００２】
冷蔵庫に搭載される製氷機は、貯水用凹部が上向きに配置された製氷皿を有しており、製氷皿は、駆動ユニットによって、水平な軸線周りに製氷皿を反転させる反転動作、および反転動作に連動した捻り動作を行うことによって、貯氷容器内へ氷を落下させる。特許文献１には、この種の製氷機が開示されている。特許文献１の製氷機では、駆動ユニットはフレーム（枠体）の長手方向の端部に搭載される。フレーム（枠体）の長手方向の端部には、天板と、駆動装置に設けられた爪を挿入するための爪挿入部を備えた壁部と、壁部とは反対側で駆動ユニットを押さえるフック（抑え部）が形成されている。駆動ユニットは、壁部とフックとの間に保持される。
【先行技術文献】
【特許文献】
【０００３】
【特許文献１】特開２０１５−１３２４４８号公報
【発明の概要】
【発明が解決しようとする課題】
【０００４】
特許文献１では、駆動ユニットを保持するフックが天板から駆動ユニットの側へ突出しているが、衝撃等によりフックの側に駆動ユニットを移動させる力がかかった場合、フックが撓んで駆動ユニットがフレームから外れるおそれがある。
【０００５】
以上の問題点に鑑みて、本発明の課題は、駆動ユニットがフレームから外れにくい製氷機を提供することにある。
【課題を解決するための手段】
【０００６】
上記課題を解決するため、本発明に係る製氷機は、貯水用凹部が上向きに配置された製氷皿と、上下方向と交差する軸線周りの反転動作、および前記反転動作に連動した捻り動作を前記製氷皿に行わせる駆動ユニットと、前記駆動ユニットを保持するフレームと、前記フレームに取り付けられる係止部材と、を有し、前記フレームは、前記軸線方向で対向する規制部および第１フックを備え、前記駆動ユニットは、前記規制部と前記第１フックの間に配置され、前記係止部材は、前記規制部とは反対側への前記駆動ユニットの移動を規制する規制位置に前記第１フックを保持することを特徴とする。
【０００７】
本発明では、駆動ユニットを保持するフレームは、軸線方向で対向する規制部および第１フックを備えており、規制部と第１フックの間に配置した駆動ユニットを保持できる。また、第１フックは、フレームに取り付けられる係止部材によって、規制部とは反対側への駆動ユニットの移動を規制する規制位置に保持される。従って、規制部と第１フックの間から駆動ユニットが外れるおそれが少ないので、駆動ユニットをフレームに対して強固に取り付けることができる。
【０００８】
本発明において、前記第１フックは、腕部と、前記腕部の先端側に設けられた係止部を備え、前記規制位置は、前記駆動ユニットが位置する側へ前記腕部を撓ませた位置であることが好ましい。このようにすると、駆動ユニットを取り付ける際は、腕部を駆動ユニットとは逆側へ撓ませることができるので、駆動ユニットの取り付けが容易である。また、係止部材によって第１フックを駆動ユニットの側へ寄せた規制位置で保持できるため、規
制部と第１フックの間から駆動ユニットが外れるおそれが少ない。従って、駆動ユニットをフレームに対して強固に取り付けることができる。
【０００９】
本発明において、前記フレームは、前記係止部材が取り付けられるフレーム側取付部を備え、前記第１フックは、前記フレーム側取付部よりも前記駆動ユニットが位置する側とは反対側へ突出した突出部を備え、前記係止部材は、前記突出部に対して前記駆動ユニットが位置する側とは反対側から重なるように取り付けられることが好ましい。このようにすると、係止部材は、突出部を介して第１フックを駆動ユニットが位置する側へ押圧して、第１フックを駆動ユニットが位置する側へ撓ませることができる。従って、第１フックを駆動ユニットの側へ寄せた規制位置で保持できる。
【００１０】
本発明において、前記第１フックは、前記係止部材が取り付けられるフック側取付部を備え、前記フック側取付部は、前記突出部に対して前記フレーム側取付部とは反対側に位置することが好ましい。このようにすると、第１フックとフレームとを係止部材によって連結できる。従って、第１フックを駆動ユニットの移動を規制する規制位置に強固に保持することができる。また、フレーム側取付部とフック側取付部が突出部に対して反対側に設けられているので、フレーム側取付部とフック側取付部とを係止部材で連結する際、係止部材によって突出部を押さえて、第１フックを駆動ユニットの側へ寄せて保持することができる。
【００１１】
本発明において、前記フック側取付部と前記フレーム側取付部の一方または両方は、前記係止部材を通す孔であることが好ましい。このようにすると、係止部材をフレームに対して強固に連結できる。
【００１２】
本発明において、前記係止部材は結束バンドであることが好ましい。このようにすると、フレームと第１フックを結束して連結することができ、第１フックが規制位置から離れることを抑制できる。従って、規制部と第１フックの間から駆動ユニットが外れることを抑制できる。従って、駆動ユニットをフレームに対して強固に取り付けることができる。
【００１３】
本発明において、前記駆動ユニットに対して前記軸線方向で前記第１フックと同じ側に配置される第２フックを備え、前記第１フックと前記第２フックは、前記駆動ユニットにおける反対側の端部を係止することが好ましい。このようにすると、駆動ユニットが傾くことを抑制でき、フレームから駆動ユニットが外れることを抑制できる。従って、駆動ユニットをフレームに対して強固に取り付けることができる。
【発明の効果】
【００１４】
本発明では、駆動ユニットを保持するフレームは、軸線方向で対向する規制部および第１フックを備えており、規制部と第１フックの間に配置した駆動ユニットを保持できる。また、第１フックは、フレームに取り付けられる係止部材によって、規制部とは反対側への駆動ユニットの移動を規制する規制位置に保持される。従って、規制部と第１フックの間から駆動ユニットが外れるおそれが少ないので、駆動ユニットをフレームに対して強固に取り付けることができる。
【図面の簡単な説明】
【００１５】
【図１】本発明を適用した製氷機を第２方向の一方側、かつ斜め上方からみた斜視図である。
【図２】図１に示す製氷機を第２方向の一方側、かつ斜め上方からみた分解斜視図である。
【図３】図１に示す製氷機を第２方向の一方側、かつ斜め下方からみた分解斜視図である。
【図４】駆動ユニットを搭載した搭載部の断面図（図１のＡ−Ａ位置の断面図）である。
【図５】図１に示す製氷機の平面図および底面図である。
【図６】結束バンドによる第１フックの固定箇所の斜視図（図１の領域Ｂの拡大図）である。
【図７】駆動ユニットを搭載した搭載部の断面斜視図（図５のＣ−Ｃ位置の断面斜視図）である。
【図８】結束バンドによる第１フックの固定箇所の断面図（図７の領域Ｄの拡大図）である。
【発明を実施するための形態】
【００１６】
以下、図面を参照して、本発明の実施形態について説明する。以下の説明では、互いに交差する３方向を第１方向Ｘ（長さ方向）、第２方向Ｙ（幅方向）、および第３方向Ｚ（上下方向）として説明する。また、第１方向Ｘの一方側にＸ１を付し、第１方向Ｘの他方側にＸ２を付し、第２方向Ｙの一方側にＹ１を付し、第２方向Ｙの他方側にＹ２を付し、第３方向Ｚ（上下方向）の一方側（上側）にＺ１を付し、第３方向Ｚ（上下方向）の他方側（下側）Ｚ２を付して説明する。
【００１７】
（全体構成）
図１は、本発明を適用した製氷機１を第２方向Ｙの一方側Ｙ１、かつ斜め上方からみた斜視図である。図２は、図１に示す製氷機１を第２方向Ｙの一方側Ｙ１、かつ斜め上方からみた分解斜視図である。図３は、図１に示す製氷機１を第２方向Ｙの一方側Ｙ１、かつ斜め下方からみた分解斜視図である。
【００１８】
図１〜図３に示す製氷機１は、貯水用凹部２０（セル）が第３方向Ｚの一方側Ｚ１（上側）に向けて配置された製氷皿２と、製氷皿２に対して第１方向Ｘの一方側Ｘ１に配置された駆動ユニット３と、駆動ユニット３が搭載される搭載部４０を備えたフレーム４とを有している。製氷機１は、冷蔵庫本体（図示せず）に搭載され、冷蔵庫では、給水タンク（図示せず）の水を給水パイプ（図示せず）を通じて製氷皿２の貯水用凹部２０に充填し、製氷を行う。そして、製氷が完了すると、駆動ユニット３は、離氷動作として、製氷皿２に第１方向Ｘに延在する軸線Ｌ０周りの反転動作、および反転動作に連動する捻り動作を行わせることにより、製氷皿２の氷を貯氷容器（図示せず）へ落下させる。
【００１９】
（製氷皿２の構成）
製氷皿２は、樹脂材料で平面形状が略四角形になるように成形された部材であって、弾性変形可能な材料からなる。製氷皿２において、貯水用凹部２０は、第１方向Ｘおよび第２方向Ｙに複数配列されている。例えば、図２に示すように、製氷皿２では、略四角形の枠部２５の内側に、第２方向Ｙに並ぶ２つの貯水用凹部２０が組になって第１方向Ｘに５列配置されている。製氷皿２の枠部２５において、第１方向Ｘの一方側Ｘ１に位置する壁部２６には、軸線Ｌ０上で駆動ユニット３の出力軸３２と連結された連結部２４が形成されており、第１方向Ｘの他方側Ｘ２に位置する壁部２７には、軸線Ｌ０上でフレーム４に回転可能に支持される軸部２８が形成されている。製氷皿２の壁部２７には、製氷皿２が軸線Ｌ０周りに回転した際にフレーム４と当接する回転規制部２９が形成されており、回転規制部２９は、製氷皿２の回転を阻止することにより、製氷皿２に捻り動作を行わせる。
【００２０】
製氷皿２において、第３方向Ｚの他方側Ｚ２を向く下面２ａには、複数の貯水用凹部２０の形状が各々、反映された複数の凸部２１が配列されている。製氷皿２の下面２ａには、製氷皿２の温度を検知する温度センサ８が配置され、温度センサ８は、製氷皿２の下面２ａに固定されたカバー部材９で覆われている。温度センサ８から駆動ユニット３の内部
に向けては信号配線８８が延在している。本形態において、温度センサ８は、サーミスタ８０である。
【００２１】
（駆動ユニット３の構成）
図２、図３に示すように、駆動ユニット３は、直方体状に成形されたケース３１の内側に、駆動源となるモータ（図示せず）と、モータの回転力を伝達する回転伝達機構（図示せず）と、回転伝達機構によりモータの回転力が伝達されるカム歯車３３とを備えており、駆動ユニット３からは、モータに対する給電用の配線（図示せず）がフレーム４の外側に引き出されている。カム歯車３３には、製氷皿２の連結部が連結される出力軸３２が一体成形されている。ケース３１は、製氷皿２が配置される第１方向Ｘの他方側Ｘ２を向く第１端面３１１と、製氷皿２とは反対側の第１方向Ｘの一方側Ｘ１を向く第２端面３１２を備えている。出力軸３２は、ケース３１の第１端面３１１に設けられた穴３１６からケース３１の外方に突出している。出力軸３２は、製氷皿２の氷を離氷させる場合には、軸線Ｌ０を中心に反時計回りＣＣＷの方向に回転し、製氷皿２を元の位置に戻す場合には、時計回りＣＷの方向に回転する。
【００２２】
製氷皿２に対して第２方向Ｙの一方側Ｙ１で隣り合う位置には、検氷レバー６が配置されている。駆動ユニット３のケース３１内には、カム歯車３３の回転角度に応じてカム歯車３３と連動して検氷レバー６を軸線Ｌ１周りに回転させる動作させる検氷機構や、温度センサ８から信号配線８８を介して入力された信号に基づいて動作するスイッチ機構等が構成されている。
【００２３】
駆動ユニット３のケース３１には、第１端面３１１の第２方向Ｙの一方側Ｙ１の端部から第１方向Ｘの他方側Ｘ２に突出した第１板部３７１と、第１板部３７１に対して第２方向Ｙの他方側Ｙ２に離間する位置で第１端面３１１の他方側Ｙ２の端部から第１方向Ｘの他方側Ｘ２に突出した第２板部３７２とが形成されている。第１板部３７１および第２板部３７２は、第３方向Ｚを板厚方向とする板状に形成されている。駆動ユニット３がフレーム４に取り付けられる際、第１板部３７１および第２板部３７２はフレーム４と嵌合する。
【００２４】
（フレーム４の構成）
フレーム４は、製氷皿２の第２方向Ｙの他方側Ｙ２の第１側面２ｂに沿って第１方向Ｘに延在する第１側板部４１と、製氷皿２の第２方向Ｙの一方側Ｙ１の第２側面２ｃに沿って第１方向Ｘに延在する第２側板部４２とを備えており、第１側板部４１と第２側板部４２とは第２方向Ｙで平行に対向している。第２側板部４２と製氷皿２との間には、検氷レバー６が配置される。
【００２５】
第１側板部４１の上端（第３方向Ｚの一方側Ｚ１の縁）からは第２側板部４２に向けて第１上板部４１０が張り出している。また、第２側板部４２の上端（第３方向Ｚの一方側Ｚ１の縁）の付近からは第１側板部４１に向けて第２上板部４２０が張り出している。製氷皿２は、第１上板部４１０と第２上板部４２０との間で上方（第３方向Ｚの一方側Ｚ１）に向けて開放状態にある。
【００２６】
フレーム４の第１方向Ｘの一方側Ｘ１の端部には、駆動ユニット３を搭載する搭載部４０が形成されている。第１側板部４１と第２側板部４２とは、第１方向Ｘの一方側Ｘ１の端部に位置する搭載部４０と、第１方向Ｘの他方側Ｘ２の端部に位置する端板部４９とによって連結されている。端板部４９には、製氷皿２の軸部２８を回転可能に支持する軸穴４９０（図３参照）が形成されている。また、フレーム４は、端板部４９の第３方向Ｚの一方側Ｚ１の縁から第１方向Ｘの他方側Ｘ２に延びる第３上板部４８を備える。
【００２７】
搭載部４０は、製氷皿２の第１方向Ｘの一方側Ｘ１において駆動ユニット３を上側（第３方向Ｚの一方側Ｚ１）から覆う上板部４５と、第１側板部４１の第１方向Ｘの一方側Ｘ１において第１側板部４１と同一面を成すように繋がる第１壁部４３と、第２側板部４２の第１方向Ｘの一方側Ｘ１に繋がる第２壁部４４と、製氷皿２の第１方向Ｘの一方側Ｘ１において駆動ユニット３を下側から覆う底板部４６を備える。第２壁部４４は、第２側板部４２の第３方向Ｚの他方側Ｚ２の端部と繋がる下端部４４１と、下端部４４１から第２方向Ｙの一方側Ｙ１へ傾斜して延びる傾斜部４４２と、傾斜部４４２の上端から第３方向Ｚの一方側Ｚ１へ延びる上端部４４３と、傾斜部４４２および上端部４４３の第１方向Ｘの他方側Ｘ２の縁と第２側板部４２の第１方向Ｘの一方側Ｘ１の縁とを接続する端板部４４４を備える。
【００２８】
（フレーム４への駆動ユニット３の固定構造）
本形態では、フレーム４において、第１壁部４３、第２壁部４４、上板部４５、および底板部４６によって囲まれた空間が、駆動ユニット３の配置空間になっており、搭載部４０は、第１方向Ｘの一方側Ｘ１が開放状態にある。駆動ユニット３は、搭載部４０に対して第１方向Ｘの一方側Ｘ１から取り付けられる。搭載部４０の第１方向Ｘの他方側Ｘ２には、上板部４５の縁から第３方向Ｚの他方側Ｚ２へ突出する壁部４７が形成されている。搭載部４０の第１方向Ｘの他方側Ｘ２は、壁部４７によって塞がれた箇所を除いて開放状態にある。壁部４７は、駆動ユニット３の第１端面３１１の上端部に対して第１方向Ｘの他方側Ｘ２から対向し、駆動ユニット３の第１方向Ｘの他方側Ｘ２への移動を規制する。図３に示すように、壁部４７には、駆動ユニット３を第１方向Ｘの一方側Ｘ１から他方側Ｘ２に移動させたときに駆動ユニット３の第１板部３７１が嵌る第１嵌合部４７１と、第２板部３７２が嵌る第２嵌合部４７２が形成されている。第１板部３７１、第２板部３７２がそれぞれ第１嵌合部４７１、第２嵌合部４７２に嵌まることによって、搭載部４０において駆動ユニット３が第２方向Ｙに位置決めされる。
【００２９】
図３において破線で示すように、駆動ユニット３は、上板部４５に形成された第１フック５１に設けられた第１係止部５１４と、底板部４６に形成された第２フック５２に設けられた第２係止部５２４によって第１方向Ｘの一方側Ｘ１への移動を規制される。第１フック５１と第２フック５２（第１係止部５１４と第２係止部５２４）は、駆動ユニット３における第３方向Ｚで反対側の端部を係止する。駆動ユニット３は、壁部４７と第１フック５１および第２フック５２（第１係止部５１４と第２係止部５２４）によって第１方向Ｘに位置決めされて保持される。
【００３０】
図４は、駆動ユニット３を搭載した搭載部４０の断面図（図１のＡ−Ａ位置の断面図）である。図４に示すように、搭載部４０には、駆動ユニット３を第３方向Ｚの他方側Ｚ２から支持する支持面４０１が構成されている。支持面４０１は、底板部４６の内面（上面）によって構成される。また、フレーム４の搭載部４０には、駆動ユニット３に対して第３方向Ｚの一方側Ｚ１（上側）から対向する規制面４０２が構成されている。図３、図４に示すように、上板部４５の内面（下面）には、第１方向Ｘに延在する補強用リブ４５ａが形成されており、規制面４０２は、補強用リブ４５ａの先端面によって構成される。駆動ユニット３は、支持面４０１および規制面４０２によって第３方向Ｚへの移動が規制される。
【００３１】
（フック）
図５（ａ）は、図１に示す製氷機１の平面図であり、図５（ｂ）は図１に示す製氷機１の底面図である。図５（ａ）に示すように、フレーム４の上板部４５には、製氷皿２の軸線Ｌ０より第２方向Ｙの他方側Ｙ２に寄った位置に略矩形の開口部４５１が形成されている。第１フック５１は、開口部４５１の内側に配置されている。第１フック５１は、第１方向Ｘに略平行に延びる２本の腕部５１１と、腕部５１１の第１方向Ｘの一方側Ｘ１の端
部を接続する先端部５１２を備える。２本の腕部５１１と先端部５１２は略Ｕ字状に繋がっている。
【００３２】
第１フック５１は、各腕部５１１の第１方向Ｘの他方側Ｘ２の端部が開口部４５１の縁と繋がっている。従って、第１フック５１は、第１方向Ｘの他方側Ｘ２の端部を中心として第３方向Ｚに撓むように構成されている。腕部５１１および先端部５１２は、第３方向Ｚを板厚方向とする板状であり、腕部５１１の上面には、第１方向Ｘに延在する補強用リブ５１３が形成されている。補強用リブ５１３は、先端部５１２の側へ向かうに従って高さが減少しており、腕部５１１に適度な剛性を持たせている。図３、図４に示すように、第１フック５１の先端部５１２には、第３方向Ｚの他方側Ｚ２へ突出する第１係止部５１４が形成されている。
【００３３】
図５（ｂ）に示すように、フレーム４の底板部４６には、上板部４５の開口部４５１より第２方向Ｙの一方側Ｙ１へ寄った位置に略矩形の開口部４６１が形成されている。第２フック５２は、開口部４６１の内側に配置されている。第２フック５２は、第１方向Ｘに略平行に延びる２本の腕部５２１と、腕部５２１の第１方向Ｘの一方側Ｘ１の端部を接続する先端部５２２を備える。２本の腕部５２１と先端部５２２は略Ｕ字状に繋がっている。
【００３４】
第２フック５２は、各腕部５２１の第１方向Ｘの他方側Ｘ２の端部が開口部４６１の縁と繋がっている。従って、第２フック５２は、第１方向Ｘの他方側Ｘ２の端部を中心として第３方向Ｚに撓むように構成されている。腕部５２１および先端部５２２は、第３方向Ｚを板厚方向とする板状である。第２フック５２の先端部５２２には、第３方向Ｚの一方Ｚ１へ突出する第２係止部５２４が形成されている。図４に示すように、第２係止部５２４と第１係止部５１４は第２方向Ｙで離間した位置において駆動ユニット３を係止する。
【００３５】
駆動ユニット３を搭載部４０に取り付ける際には、第１フック５１を第３方向Ｚの一方側Ｚ２（図４の矢印Ｆ１方向）へ撓ませて第１係止部５１４を駆動ユニット３の一方側Ｚ１へ退避させる。また、第２フック５２を第３方向Ｚの他方側Ｚ１（図４の矢印Ｆ２方向）へ撓ませて第２係止部５２４を駆動ユニット３の他方側Ｚ２へ退避させる。これにより、第１係止部５１４および第２係止部５２４と干渉せずに、上板部４５と底板部４６の間に駆動ユニット３を配置することができる。駆動ユニット３を壁部４７に当接させると、駆動ユニット３が第１係止部５１４および第２係止部５２４より他方側Ｘ１へ移動するので、第１フック５１および第２フック５２を、駆動ユニット３の第１方向Ｘの一方側Ｘ１への移動を規制する位置（図３参照）に戻すことができる。これにより、第１係止部５１４および第２係止部５２４が駆動ユニット３の第２端面３１２に対して第１方向Ｘの一方側Ｘ１から当接して駆動ユニット３を係止し、駆動ユニット３が搭載部４０から外れることを規制する。
【００３６】
（結束バンドによるフックの固定構造）
図６は、結束バンド６０による第１フック５１の固定箇所の斜視図であり、図１の領域Ｂの拡大図である。また、図７は、駆動ユニット３を搭載した搭載部４０の断面斜視図（図５のＣ−Ｃ位置の断面斜視図）であり、図８は、結束バンド６０による第１フック５１の固定箇所の断面図（図７の領域Ｄの拡大図）である。本形態では、第１フック５１の先端部５１２が結束バンド６０によってフレーム４に連結される。第１フック５１は、結束バンド６０によって、駆動ユニット３の第１方向Ｘの一方側Ｘ１への移動を規制する規制位置５１Ａに保持される。なお、図２〜図５では、結束バンド６０の図示を省略している。
【００３７】
第１フック５１には、先端部５１２の第２方向Ｙの略中央に、結束バンド６０を通すた
めのフック側固定孔６２（フック側取付部）が形成される。フック側固定孔６２は、先端部５１２を貫通する円形の貫通孔である。また、フレーム４には、第１フック５１の先端部５１２と第１方向Ｘで対向する部分に、結束バンド６０を通すためのフレーム側固定孔６６（フレーム側取付部）が形成される。フレーム側固定孔６６は、開口部４５１を囲む上板部４５の部分を貫通する円形の貫通孔である。フレーム側固定孔６６は、フック側固定孔６２と第２方向Ｙの位置が略同一である。従って、結束バンド６０は、フレーム側固定孔６６とフック側固定孔６２の間で第２方向Ｙに延在する。
【００３８】
図６、図７に示すように、第１フック５１の先端部５１２には、第３方向Ｚの一方側Ｚ１へ突出する突出部である第１リブ６３が形成されている。第１リブ６３は、第１フック５１の先端部５１２の第１方向Ｘの一方側Ｘ１の縁に沿って第２方向Ｙに延在する。フック側固定孔６２は第１リブ６３の第１方向Ｘの他方側Ｘ２に位置する。従って、フレーム側固定孔６６とフック側固定孔６２のうちの一方から結束バンド６０を第３方向Ｚの一方側Ｚ１へ出して他方へ通す際、第１リブ６３の先端（上端）を乗り越えるように結束バンド６０が配置される。すなわち、結束バンド６０は、第１リブ６３に対して第３方向Ｚの一方側Ｚ１から重なるように配置される。
【００３９】
フレーム側取付部６５には、開口部４５１の第１方向Ｘの一方側Ｘ１の縁に沿って第３方向Ｚの一方側Ｚ１へ立ち上がる補強用リブ６７が形成されている。補強用リブ６７には、第３方向Ｚの他方側Ｚ２へ切り欠いた切欠き６８が形成されている。切欠き６８は、第２方向でフレーム側固定孔６６と略同じ位置に設けられた底部６８１と、底部６８１の両端から第２方向Ｙの両側へ傾斜して延びる傾斜部６８２、６８３を備える。結束バンド６０は、フレーム側固定孔６６とフック側固定孔６２の間において、第１リブ６３より第１方向Ｘの一方側Ｘ１において切欠き６８の底部６８１を乗り越えるように配置される。すなわち、結束バンド６０は、切欠き６８の底部６８１に対して第３方向Ｚの一方側Ｚ１から重なるように配置される。
【００４０】
図３、図７に示すように、上板部４５の内面（下面）には、開口部４５１の第１方向Ｘの一方側Ｘ１において第２方向Ｙに延在する段部４５２が形成されている。図７に示すように、段部４５２より第１方向Ｘの一方側Ｘ１に位置する上板部４５の部分（フレーム側固定孔６６が形成された部分）と、段部４５２より第１方向Ｘの一方側Ｘ１に位置する第１フック５１の先端部５１２は、第３方向Ｚの位置が異なる。従って、フレーム側固定孔６６とフック側固定孔６２は、第３方向Ｚの位置が異なる。
【００４１】
第１フック５１の先端部５１２において、フック側固定孔６２の第１方向Ｘの一方側Ｘ１の縁には第３方向Ｚの一方側Ｚ１に突出する第１リブ６３が形成されており、第３方向Ｚで所定の高さの第１結束部６４を構成している。また、上板部４５において、フレーム側固定孔６６の第１方向Ｘの他方側Ｘ２には、補強用リブ６７の切欠き６８の底部６８１と、フレーム側固定孔６６より第３方向Ｚの他方側Ｚ２へ突出する段部４５２があり、この部分に第３方向Ｚで所定の高さの第２結束部６９を構成している。結束バンド６０は、第１結束部６４と第２結束部６９とを結束する。
【００４２】
第１フック５１が第３方向Ｚに全く撓んでいない自由位置のときには、第１リブ６３の先端は、フレーム側固定孔６６より第３方向Ｚの一方側Ｚ１へ突出した位置にある。また、本形態では、フレーム側固定孔６６と第１リブ６３との間に補強用リブ６７の切欠き６８があるが、第１リブ６３の先端は、切欠き６８の底部６８１より第３方向Ｚの一方側Ｚ１へ突出した位置にある。従って、第１結束部６４と第２結束部６９を結束バンド６０で巻いて結束バンド６０を締めつけると、第１リブ６３の先端を乗り越えるように巻かれた結束バンド６０の部分によって、第１リブ６３の先端が第３方向Ｚの他方側Ｚ２へ押圧される。その結果、第１フック５１の先端部５１２が第３方向Ｚの他方側Ｚ２へ押し下げら
れる。第１フック５１の規制位置５１Ａは、第１フック５１が自由位置より第３方向Ｚの他方側Ｚ２へ押し下げられた位置である。図７、図８では、規制位置５１Ａの例として、第１リブ６３の先端が切欠き６８の底部６８１と同じ高さまで押し下げられた状態を示す。なお、規制位置５１Ａは、底部６８１と同じ高さの位置でなくてもよい。
【００４３】
このように、結束バンド６０によって第１フック５１を上板部４５と連結すると共に、第１フック５１を第３方向Ｚの他方側Ｚ２に押し下げることにより、第１フック５１は、駆動ユニット３に第３方向Ｚの一方側Ｚ１から押し付けられる。これにより、駆動ユニット３の第１方向Ｘの一方側Ｘ１の端部には、第１フック５１と底板部４６が第３方向Ｚの両側から当接しており、駆動ユニット３は、第３方向Ｚに位置決めされる。
【００４４】
（製氷機の動作）
製氷機１は、製氷工程では、貯水用凹部２０が上方を向くように水平に配置された製氷皿２に対して給水パイプ（図示せず）を通じて水が供給され、貯水用凹部２０に水が充填さる。その後、冷却部（図示せず）から供給された冷気により、製氷皿２内に充填された水を冷却する。製氷が完了したか否かは、製氷皿２に取り付けられた温度センサ８（サーミスタ８０）により、製氷皿２の温度が所定温度以下となったか否かで判断される。
【００４５】
製氷が完了すると、検氷レバー６により、製氷皿２の下方に設置された貯氷容器（図示せず）の氷量の検出が行なわれる。具体的には、検氷レバー６が駆動ユニット３に駆動されて下降する。その際、検氷レバー６が所定位置まで下降する場合には、貯氷容器内が満氷でないと判断される。一方、所定位置まで下降する前に、検氷レバー６が貯氷容器内の氷に接触する場合には、貯氷容器内が満氷であると判断される。貯氷容器内が満氷の場合には、所定時間待機した後、再度、検氷レバー６により貯氷容器内の氷量の検出が行なわれる。
【００４６】
貯氷容器内が満氷でない場合には、製氷皿２の離氷動作が行なわれる。具体的には、駆動ユニット３の出力軸３２の回転駆動により、製氷皿２が軸線Ｌ０を中心に反時計周りＣＣＷに回転する。水平に配置された最初の位置より９０°以上の所定の回転角（例えば１２０°）まで製氷皿２が回転したときに、製氷皿２の回転規制部２９がフレーム４に当接する。この状態で、製氷皿２がさらに回転しようとしても回転は妨げられ、製氷皿２には捻りが加えられ、変形する。これにより、製氷皿２内の氷が製氷皿２から剥離し、製氷皿２の下方に設置された図示しない貯氷容器内に落下する。
【００４７】
かかる離氷動作を行った際、駆動ユニット３が、貯水用凹部２０が上方を向くように軸線Ｌ０を中心に時計周りＣＷに製氷皿２を逆回転させ、上記の動作が繰り返される。
【００４８】
（本形態の主な効果）
以上説明したように、本形態の製氷機１では、製氷皿２を回転させる駆動ユニット３は、フレーム４に設けられた搭載部４０に搭載される。搭載部４０は、第１方向Ｘの一方側Ｘ１が開放状態となっており、駆動ユニット３は、第１方向Ｘの一方側Ｘ１から搭載部４０に取り付けられる。搭載部４０は、第１方向Ｘ（軸線Ｌ０方向）で対向する壁部４７と第１係止部５１４を備えており、壁部４７と第１係止部５１４の間に駆動ユニット３が配置される。これにより、壁部４７は、駆動ユニット３の第１方向の他方側Ｘ２への移動を規制する規制部として機能し、第１係止部５１４は、駆動ユニット３の第１方向の一方側Ｘ１への移動を規制する。従って、駆動ユニット３が搭載部４０から第１方向Ｘに外れないように保持することができる。
【００４９】
また、本形態では、第１係止部５１４は、上板部４５に形成された第１フック５１の先端部に設けられ、第１フック５１は、フレーム４に取り付けた結束バンド６０によってフ
レーム４と連結される。これにより、第１フック５１は、落下などの衝撃が加わっても、壁部４７（規制部）とは反対側（第１方向Ｘの一方側Ｘ１）への駆動ユニット３の移動を規制する規制位置５１Ａに保持され、規制位置５１Ａから移動するおそれは少ない。従って、壁部４７（規制部）と第１フック５１の間から駆動ユニットが外れるおそれを少なくすることができ、駆動ユニット３をフレーム４に対して強固に取り付けることができる。
【００５０】
本形態では、第１フック５１は、第１方向Ｘに延在する腕部５１１を備えている。従って、駆動ユニット３を取り付ける際は、腕部５１１を駆動ユニット３とは逆側（本形態では、第３方向Ｚの一方側Ｚ１）へ撓ませることができるので、駆動ユニット３の取り付けが容易である。また、結束バンド６０によってフレーム４に第１フック５１を連結する際、第１フック５１を駆動ユニット３の側へ撓ませた状態で連結することができる。すなわち、第１フック５１を駆動ユニット３の側（本形態では、第３方向Ｚの他方側Ｚ２）へ寄せた位置を第１フック５１の規制位置５１Ａとすることができる。このように、第１フック５１を駆動ユニット３の側へ寄せた位置で保持することにより、駆動ユニット３を外れにくくすることができる。従って、駆動ユニット３をフレーム４に対して強固に取り付けることができる。
【００５１】
本形態では、第１フック５１は、上板部４５に形成された開口部４５１に配置され、開口部４５１の縁には、結束バンド６０を取り付けるためのフレーム側取付部であるフレーム側固定孔６６が形成される。一方、フレーム側固定孔６６と第１方向Ｘで対向する第１フック５１の先端部５１２には、結束バンド６０を取り付けるためのフック側連結部であるフック側固定孔６２が形成される。従って、これら２箇所の穴に結束バンド６０を通すことにより、第１フック５１と、上板部４５における開口部４５１の縁とを結束バンド６０によって強固に連結することができる。
【００５２】
本形態では、第１フック５１の先端部５１２には、駆動ユニット３が配置される側とは反対側（本形態では、第３方向Ｚの一方側Ｚ１）へ突出する突出部である第１リブ６３が形成される。そして、第１リブ６３は、フレーム側固定孔６６より第３方向Ｚの一方側Ｚ１へ突出した形状となっており、第１フック５１では、フック側固定孔６２は、第１リブ６３に対してフレーム側固定孔６６とは反対側に設けられている。従って、結束バンド６０は、フレーム側固定孔６６とフック側固定孔６２の間で延在する部分が第１リブ６３に対して駆動ユニット３が配置される側とは反対側（本形態では、第３方向Ｚの一方側Ｚ１）から重なるように取り付けられる。このように、結束バンド６０が通る位置に第１リブ６３を設けることで、結束バンド６０を強く締め付けることができ、第１フック５１を保持する保持力を強固にすることができる。また、フレーム側固定孔６６より第１リブ６３の方が第３方向Ｚの一方側Ｚ１へ突出しているので、結束バンド６０を締めつけると、第１リブ６３を介して第１フック５１の先端部５１２が第３方向Ｚの他方側Ｚ２へ押圧される。従って、第１フック５１を駆動ユニット３の側へ押し下げることができ、駆動ユニット３に第１フック５１を押しつけることができる。
【００５３】
本形態では、搭載部４０の底板部４６には、駆動ユニット３に対して第１方向Ｘ（軸線Ｌ０方向）で第１フック５１と同じ側に配置される第２フック５２が形成されている。そして、第１フック５１と第２フック５２は、駆動ユニット３における第３方向Ｚで反対側の端部を係止する。このように、第１フック５１と第２フック５２によって駆動ユニット３の反対側の端部を係止することにより、駆動ユニット３が傾くことを抑制でき、搭載部４０から駆動ユニット３が外れるおそれを少なくすることができる。従って、駆動ユニット３をフレーム４に対して強固に取り付けることができる。
【００５４】
（変形例）
（１）上記形態では、結束バンド６０を用いて第１フック５１と上板部４５を連結してい
るが、第１フック５１と上板部４５を連結する部材としては、様々なものを用いることができる。例えば、本形態のように、第１フック５１と上板部４５の孔に通した結束部材を環状に連結して結束する構造であってもよいし、一端を第１フック５１の孔に固定し、他端を上板部４５の孔に固定した連結部材を用いて連結する構造であってもよい。また、第１フック５１と上板部４５における連結部材（結束部材を含む）の取付箇所は、穴でなく溝でもよいし、フックなどの凸部であってもよい。連結部材は、可撓性の部材であってもよいし、固形の部材であってもよい。
【００５５】
（２）上記形態では、第１フック５１と上板部４５を連結部材（結束部材を含む）によって連結して、連結部材によって第１フック５１を規制位置５１Ａに保持しているが、上板部４５に取り付けた係止部材（連結部材を含む）によって、第１フック５１を規制位置５１Ａに保持することができればよい。例えば、第１フック５１が設けられた開口部４５１と交差するか、あるいは、開口部４５１の内側へ張り出すような係止部材を上板部４５に取り付けて、係止部材によって第１フック５１の第３方向Ｚの一方側Ｚ１への移動を規制する。このようにすれば、規制位置５１Ａで第１フック５１を保持することができる。また、係止部材によって第１フック５１を駆動ユニット３の側に押圧することもできる。
【００５６】
（３）上記形態では、第１フック５１を結束バンド６０によってフレーム４に連結したが、第２フック５２を同様の連結構造でフレーム４に連結することもできる。
【符号の説明】
【００５７】
１…製氷機、２…製氷皿、２ａ…下面、２ｂ…第１側面、２ｃ…第２側面、３…駆動ユニット、４…フレーム、５…配線、６…検氷レバー、８…温度センサ、９…カバー部材、２０…貯水用凹部、２１…凸部、２４…連結部、２５…枠部、２６、２７…壁部、２８…軸部、２９…回転規制部、３１…ケース、３２…出力軸、３３…カム歯車、４０…搭載部、４１…第１側板部、４２…第２側板部、４３…第１壁部、４４…第２壁部、４５…上板部、４５ａ…補強用リブ、４６…底板部、４７…壁部、４８…第３上板部、４９…端板部、５１…第１フック、５１Ａ…規制位置、５２…第２フック、６０…結束バンド、６１…フック側取付部、６２…フック側固定孔、６３…第１リブ、６４…第１結束部、６５…フレーム側取付部、６６…フレーム側固定孔、６７…補強用リブ、６８…切欠き、６９…第２結束部、８０…サーミスタ、８８…信号配線、３１１…第１端面、３１２…第２端面、３１６…穴、３７１…第１板部、３７２…第２板部、４０１…支持面、４０２…規制面、４１０…第１上板部、４２０…第２上板部、４４１…下端部、４４２…傾斜部、４４３…上端部、４４４…端板部、４５１…開口部、４５２…段部、４６１…開口部、４７１…第１嵌合部、４７２…第２嵌合部、４９０…軸穴、５１１…腕部、５１２…先端部、５１３…補強用リブ、５１４…第１係止部、５２１…腕部、５２２…先端部、５２４…第２係止部、６８１…底部、６８２…傾斜部、Ｌ０、Ｌ１…軸線、Ｘ…第１方向（軸線方向）、Ｙ…第２方向、Ｚ…第３方向
【図１】
2019113230.tif 000003
【図２】
2019113230.tif 000004
【図３】
2019113230.tif 000005
【図４】
2019113230.tif 000006
【図５】
2019113230.tif 000007
【図６】
2019113230.tif 000008
【図７】
2019113230.tif 000009
【図８】
2019113230.tif 000010